(57)【要約】      （修正有）【課題】どのリモコンでも制御可能で、他の電子設備が誤作動しない遠隔操作の照明装置を提供する。【解決手段】複数のリモコン２，３，４のいずれか１つから発射されてくる赤外線信号の周波数受信範囲を有する制御回路１１１と、制御回路に電気的に接続される発光源１１２と、受信されるいずれか１つの赤外線信号を制御回路に伝送させる赤外線受信素子１１３とを含む。リモコンのいずれか１つが直接赤外線受信素子に対して発射する赤外線信号によって、制御回路が同期して予定の学習動作を行った後、そのリモコンは遠隔操作の照明装置の特定のリモコンとなる。予定の学習動作が行われる前にいかなる予告予定の学習動作も必要ではない。【選択図】図１
0003184556.tif 000002
【実用新案登録請求の範囲】
【請求項１】
遠隔操作の照明装置であって、
複数のリモコンのいずれか１つから発射されてくる赤外線信号の周波数を含む赤外線信号の周波数受信範囲を有する制御回路と、
前記制御回路に電気的に接続される発光源と、
前記制御回路に電気的に接続され、受信されるいずれか１つの赤外線信号を前記制御回路に伝送させる赤外線受信素子と、を含み、
前記複数のリモコンのいずれか１つが直接前記赤外線受信素子に対して発射するいずれか１つの赤外線信号によって、前記制御回路が同期して予定の学習動作を行った後、前記複数のリモコンの前記いずれか１つは遠隔操作の照明装置の特定のリモコンとなり、前記予定の学習動作が行われる前にいかなる予告予定の学習動作も必要ではないことを特徴とする遠隔操作の照明装置。
【請求項２】
前記予定の学習動作は前記複数のリモコンの中の前記いずれか１つが前記赤外線受信素子に対して赤外線信号を発射する発射モードを含むことを特徴とする請求項１に記載の遠隔操作の照明装置。
【請求項３】
前記発射モードは少なくとも前記赤外線信号が発射される回数及び／或いは発射される時間に対して、前記発射モードの設定を行うことを特徴とする請求項２に記載の遠隔操作の照明装置。
【請求項４】
前記複数のリモコンの前記いずれか１つが毎回前記赤外線受信素子に対して発射する赤外線信号はどれも同じコードを有することを特徴とする請求項２に記載の遠隔操作の照明装置。
【請求項５】
前記制御回路と前記特定のリモコンの間には制御協定があり、前記予定の学習動作が行われた後、前記制御回路と前記特定のリモコンの間は前記制御協定に基づき対応して、前記遠隔操作の照明装置を駆動制御することを特徴とする請求項１に記載の遠隔操作の照明装置。
【請求項６】
前記制御協定は、前記制御回路が前記特定のリモコンから発射される赤外線信号の別の発射モードを受信することによって、対応する制御信号を判断して出力することを含むことを特徴とする請求項５に記載の遠隔操作の照明装置。
【請求項７】
前記別の発射モードは少なくとも前記赤外線信号が発射される回数及び／或いは発射される時間に対して、前記別の発射モードの設定を行うことを特徴とする請求項６に記載の遠隔操作の照明装置。
【請求項８】
さらに家庭用電源と前記制御回路の間に電気的に接続される切り替えスイッチを含み、前記遠隔操作の照明装置は前記切り替えスイッチのスイッチ転換状態に応じてリセットされることを特徴とする請求項５に記載の遠隔操作の照明装置。
【請求項９】
ユーザーは前記特定のリモコンを使用することを通じて前記遠隔操作の照明装置をオン又はオフにし、前記発光源が提供する第一或いは第二照明パラメータを有する照明光線を制御し、前記遠隔操作の照明装置が提供する特定機能を制御することを特徴とする請求項１に記載の遠隔操作の照明装置。
【請求項１０】
前記第一照明パラメータと前記第二照明パラメータはそれぞれ第一照明輝度と第二照明輝度であり、或いは、前記第一照明パラメータと前記第二照明パラメータはそれぞれ第一照明色温度と第二照明色温度であり、或いは、前記特定機能は人間検知スイッチモード、防犯モード、停電照明モード、自動光調整モード、スリープモード、休日モード、緊急モード、音声制御モード、音楽と放送のいずれか１つを放送するモード、グループ制御モード、照明バランスモード、節電モード、前記遠隔操作の照明装置のリセットをオンにするモード、或いは、通信装置をオンにするモードの少なくとも１つであることを特徴とする請求項９に記載の遠隔操作の照明装置。
【請求項１１】
さらに人間検知素子、予備の電源装置、及び光センサ素子のいずれか１つを含むことを特徴とする請求項１に記載の遠隔操作の照明装置。
【請求項１２】
前記人間検知素子は受動式の人間赤外線検知素子又はマイクロ波検知素子であり、或いは、前記予備の電源装置は、乾電池、蓄電池、リチウム電池、太陽エネルギー電池、又はユニバーサル・シリアル・バス・インターフェースを通じて電源を供給する予備の電源装置のいずれか１つであり、或いは、前記光センサ素子はフォトレジスタであることを特徴とする請求項１１に記載の遠隔操作の照明装置。
【請求項１３】
遠隔操作の照明装置であって、
複数のリモコンのいずれか１つから発射されてくる赤外線信号の周波数を含む赤外線信号の周波数受信範囲を有する制御回路と、
前記制御回路に電気的に接続される発光源と、
前記制御回路に電気的に接続され、受信されるいずれか１つの赤外線信号を前記制御回路に伝送させる赤外線受信素子と、を含み、
前記複数のリモコンのいずれか１つが直接前記赤外線受信素子に対して発射するいずれか１つの赤外線信号によって、前記制御回路に予定の学習動作を行わせるとき、前記制御回路は前記いずれか１つの赤外線信号の赤外線特性に応じて、前記複数のリモコンの前記いずれか１つが前記遠隔操作の照明装置を遠隔操作可能な特定のリモコンになるよう選定することを特徴とする遠隔操作の照明装置。
【請求項１４】
前記予定の学習動作は、前記複数のリモコンの中の前記いずれか１つが前記赤外線受信素子に対して赤外線信号を発射する発射モードを含み、前記発射モードは少なくとも前記赤外線信号が発射される回数及び／或いは発射される時間に対して、前記発射モードの設定を行うことを特徴とする請求項１３に記載の遠隔操作の照明装置。
【請求項１５】
遠隔操作の照明装置であって、
複数のリモコンのいずれか１つから発射される赤外線信号の周波数を含む赤外線信号の周波数受信範囲を有する制御回路と、
前記制御回路に電気的に接続される発光源と、
前記制御回路に電気的に接続され、受信されるいずれか１つの赤外線信号を前記制御回路に伝送させる赤外線受信素子と、を含み、
前記複数のリモコンのいずれか１つが前記遠隔操作の照明装置に対していずれかの制御動作を行う前に、まず前記赤外線受信素子に対していずれかの赤外線信号を発射し、起動制御動作を行い、前記制御回路が前記起動制御動作により制御モードに入ることを特徴とする遠隔操作の照明装置。
【請求項１６】
前記起動制御動作は、前記複数のリモコンの前記いずれか１つが前記赤外線受信素子に対して赤外線信号を発射する発射モードを含み、前記発射モードは少なくとも前記赤外線信号が発射される回数及び／或いは発射される時間に対して、前記発射モードの設定を行うことを特徴とする請求項１５に記載の遠隔操作の照明装置。
【請求項１７】
前記制御回路と前記複数のリモコンのいずれか１つの間には制御協定があり、前記起動制御動作がオンにされた後、前記制御回路と前記特定のリモコンの間は前記制御協定に基づき対応して、前記遠隔操作の照明装置を駆動制御することを特徴とする請求項１５に記載の遠隔操作の照明装置。
【請求項１８】
前記制御協定は、前記制御回路が前記複数のリモコンのいずれか１つから発射される赤外線信号の別の発射モードを受信することによって、対応する制御信号を判断して出力し、前記別の発射モードは少なくとも前記赤外線信号が発射される回数及び／或いは発射される時間に対して、前記別の発射モードの設定を行うことを特徴とする請求項１７に記載の遠隔操作の照明装置。
【請求項１９】
さらに家庭用電源と前記制御回路の間に電気的に接続される切り替えスイッチを含み、前記遠隔操作の照明装置は前記切り替えスイッチのスイッチ転換状態に応じてリセットされることを特徴とする請求項１７に記載の遠隔操作の照明装置。
【請求項２０】
ユーザーは前記特定のリモコンを使用することを通じて前記遠隔操作の照明装置をオン又はオフにし、前記発光源が提供する第一或いは第二照明パラメータを有する照明光線を制御し、前記遠隔操作の照明装置が提供する特定機能を制御することを特徴とする請求項１５に記載の遠隔操作の照明装置。
【考案の詳細な説明】
【技術分野】
【０００１】
本考案は、遠隔操作の照明装置に関する。
【背景技術】
【０００２】
現在室内の電力配分のほとんどはあらかじめ配線を埋める方法で完成されており、つまり、建物の建築過程で、あらかじめ配置される配線は例えば、壁、天井板など、適切な位置に埋設されている。シャンデリアやシーリングランプを例にし、これと壁上の切り替えスイッチの間の配線は建築や装飾時にすでに予定の位置に埋設されており、変更することが容易ではない。しかし、これはユーザーの数々の不便を引き起こし、例を挙げるならば、寝室のベッドから壁上の切り替えスイッチが遠すぎ、特に寒い冬にユーザーがランプを開閉するとき、面倒を感じてしまう。
【０００３】
実際、科学技術の発展に伴い、有線制御の方法は唯一の選択ではなくなっており、無線遠隔操作の技術は例えばそれぞれの家庭に深く入ってきており、例えば、テレビ、ステレオ、空調、マルチメディアプレイヤーなど家電設備などはどれも無線遠隔操作の機能を有しており、照明装置ももちろん例外ではない。
【先行技術文献】
【特許文献】
【０００４】
【特許文献１】中国実用新案第２４７５２５０号明細書
【特許文献２】中国実用新案第２５２５７３７号明細書
【特許文献３】中国実用新案第２０１７３１３１２号明細書
【考案の概要】
【考案が解決しようとする課題】
【０００５】
しかしながら、前述した従来の技術から見ると、現在家電設備に応用される無線遠隔操作技術はほとんど赤外線信号遠隔操作の方法であるが、異なるメーカーが生産する家電設備とそのリモコンが使用する赤外線信号はどれも異なる周波数やコードを有しているため、それぞれの家電設備はその対応するリモコンによってのみ制御され、リモコンの数は異なる家電設備の増加に伴い増加し、ユーザーはどのリモコンを使うべきなのか、容易に混同してしまう。そのため、どのように有効的にリモコンの数を減らすかが研究の議題である。
【０００６】
そこで、特許文献１と特許文献２は赤外線の遠隔操作による光線調節スイッチ及び赤外線の遠隔操作のスイッチをそれぞれ記載しており、これらはどれも設計された制御電気回路により、どのリモコンでも照明ランプに対して起動、開閉、或いは、光調節の制御を行うことができる。
【０００７】
しかしながら、どのリモコンでも何の制限もない条件下で、照明ランプに対して制御が行えるとき、新しい解決すべき問題が発生する。詳しくは、照明ランプが設置される位置と多種の家電設備のいずれか１つ（例えばエアコン）が近すぎ、ユーザーが利用する家電設備中の前記いずれか１つ（例えばエアコン）のリモコンが照明ランプに対して制御を行うとき、容易に家電設備中の前記いずれか１つ（例えばエアコン）を誤制御する状況が発生してしまう。
【０００８】
よって、特許文献３に記載されるスマート照明装置は、ユーザーがスマート照明装置のキーモジュールを押すことで、スマート照明装置を駆動し、多種の家電設備中のいずれか１つのリモコンの遠隔制御信号に対して予定の学習動作を行い、つまり、スマート照明装置によって学習されたリモコンであれば、照明ランプに対して制御を行うことができ、したがって、スマート照明装置が近すぎる家電設備のリモコンに対して予定の学習動作を行わなければ、家電設備誤制御の状況は発生しない。
【０００９】
上述した通りに、スマート照明装置が予定の学習動作を行う前に、ユーザーは必ずスマート照明装置のキーモジュールを押すことによってはじめて実施することができ、つまり、スマート照明装置が予定の学習動作を行う前に必ず“予告”予定の学習の行為を行う必要があり、ユーザーが操作する上で複雑になりすぎてしまう。これ以外に、このような“予告”予定の学習の行為は必ずスマート照明装置上にキーモジュールを増設する必要があり、ハードウェアの製造コストを増加させる。したがって、現有の遠隔操作の照明装置１を早急に改善する必要がある。
【００１０】
そこで、本考案者は上記の欠点が改善可能と考え、鋭意検討を重ねた結果、合理的設計で上記の課題を効果的に改善する本考案の提案に到った。
【００１１】
本考案は、このような従来の問題に鑑みてなされたものである。上記課題解決のため、本考案は、どのリモコンでも制御可能であり、その他電子設備が誤制御されることを避ける遠隔操作の照明装置を提供することを主目的とする。
【課題を解決するための手段】
【００１２】
上述した課題を解決し、目的を達成するために、本考案に係る遠隔操作の照明装置は、複数のリモコンのいずれか１つから発射されてくる赤外線信号の周波数を含む赤外線信号の周波数受信範囲を有する制御回路と、前記制御回路に電気的に接続される発光源と、前記制御回路に電気的に接続され、受信されるいずれか１つの赤外線信号を前記制御回路に伝送させる赤外線受信素子とを含み、前記複数のリモコンのいずれか１つが直接前記赤外線受信素子に対して発射するいずれか１つの赤外線信号によって、前記制御回路が同期して予定の学習動作を行った後、前記複数のリモコンの前記いずれか１つは遠隔操作の照明装置の特定のリモコンとなり、前記予定の学習動作が行われる前にいかなる予告予定の学習動作も必要ではないことを特徴とする。
【００１３】
好ましくは、前記予定の学習動作は前記複数のリモコンの中の前記いずれか１つが前記赤外線受信素子に対して赤外線信号を発射する発射モードを含むことを特徴とする。
【００１４】
好ましくは、前記発射モードは少なくとも前記赤外線信号が発射される回数及び／或いは発射される時間に対して、前記発射モードの設定を行うことを特徴とする。
【００１５】
好ましくは、前記複数のリモコンの前記いずれか１つが毎回前記赤外線受信素子に対して発射する赤外線信号はどれも同じコードを有することを特徴とする。
【００１６】
好ましくは、前記制御回路と前記特定のリモコンの間には制御協定があり、前記予定の学習動作が行われた後、前記制御回路と前記特定のリモコンの間は前記制御協定に基づき対応して、前記遠隔操作の照明装置を駆動制御することを特徴とする。
【００１７】
好ましくは、前記制御協定は、前記制御回路が前記特定のリモコンから発射される赤外線信号の別の発射モードを受信することによって、対応する制御信号を判断して出力することを含むことを特徴とする。
【００１８】
好ましくは、前記別の発射モードは少なくとも前記赤外線信号が発射される回数及び／或いは発射される時間に対して、前記別の発射モードの設定を行うことを特徴とする。
【００１９】
好ましくは、さらに家庭用電源と前記制御回路の間に電気的に接続される切り替えスイッチを含み、前記遠隔操作の照明装置は前記切り替えスイッチのスイッチ転換状態に応じてリセット（ｒｅｓｅｔ）されることを特徴とする。
【００２０】
好ましくは、ユーザーは前記特定のリモコンを使用することを通じて前記遠隔操作の照明装置をオン又はオフにし、前記発光源が提供する第一或いは第二照明パラメータを有する照明光線を制御し、前記遠隔操作の照明装置が提供する特定機能を制御することを特徴とする。
【００２１】
好ましくは、前記第一照明パラメータと前記第二照明パラメータはそれぞれ第一照明輝度と第二照明輝度であり、或いは、前記第一照明パラメータと前記第二照明パラメータはそれぞれ第一照明色温度と第二照明色温度であり、或いは、前記特定機能は人間検知スイッチモード、防犯モード、停電照明モード、自動光調整モード、スリープモード、休日モード、緊急モード、音声制御モード、音楽と放送のいずれか１つを放送するモード、グループ制御モード、照明バランスモード、節電モード、前記遠隔操作の照明装置のリセットをオンにするモード、或いは、通信装置をオンにするモードの少なくとも１つであることを特徴とする。
【００２２】
好ましくは、遠隔操作の照明装置はさらに人間検知素子、予備の電源装置、及び光センサ素子のいずれか１つを含むことを特徴とする。
【００２３】
好ましくは、前記人間検知素子は受動式の人間赤外線（ＰＩＲ）検知素子又はマイクロ波（Ｍｉｃｒｏｗａｖｅ）検知素子であり、或いは、前記予備の電源装置は、乾電池、蓄電池、リチウム電池、太陽エネルギー電池、又はユニバーサル・シリアル・バス（ＵＳＢ）インターフェースを通じて電源を供給する予備の電源装置のいずれか１つであり、或いは、前記光センサ素子はフォトレジスタであることを特徴とする。
【００２４】
また、本考案の遠隔操作の照明装置は、複数のリモコンのいずれか１つから発射されてくる赤外線信号の周波数を含む赤外線信号の周波数受信範囲を有する制御回路と、前記制御回路に電気的に接続される発光源と、前記制御回路に電気的に接続され、受信されるいずれか１つの赤外線信号を前記制御回路に伝送させる赤外線受信素子とを含み、前記複数のリモコンのいずれか１つが直接前記赤外線受信素子に対して発射するいずれか１つの赤外線信号によって、前記制御回路に予定の学習動作を行わせるとき、前記制御回路は前記いずれか１つの赤外線信号の赤外線特性に応じて、前記複数のリモコンの前記いずれか１つが前記遠隔操作の照明装置を遠隔操作可能な特定のリモコンになるよう選定することを特徴とする。
【００２５】
好ましくは、前記予定の学習動作は、前記複数のリモコンの中の前記いずれか１つが前記赤外線受信素子に対して赤外線信号を発射する発射モードを含み、前記発射モードは少なくとも前記赤外線信号が発射される回数及び／或いは発射される時間に対して、前記発射モードの設定を行うことを特徴とする。
【００２６】
また、本考案の遠隔操作の照明装置は、複数のリモコンのいずれか１つから発射される赤外線信号の周波数を含む赤外線信号の周波数受信範囲を有する制御回路と、前記制御回路に電気的に接続される発光源と、前記制御回路に電気的に接続され、受信されるいずれか１つの赤外線信号を前記制御回路に伝送させる赤外線受信素子とを含み、前記複数のリモコンのいずれか１つが前記遠隔操作の照明装置に対していずれかの制御動作を行う前に、まず前記赤外線受信素子に対していずれかの赤外線信号を発射し、起動制御動作を行い、前記制御回路が前記起動制御動作により制御モードに入ることを特徴とする。
【００２７】
好ましくは、前記起動制御動作は、前記複数のリモコンの前記いずれか１つが前記赤外線受信素子に対して赤外線信号を発射する発射モードを含み、前記発射モードは少なくとも前記赤外線信号が発射される回数及び／或いは発射される時間に対して、前記発射モードの設定を行うことを特徴とする。
【００２８】
好ましくは、前記制御回路と前記複数のリモコンのいずれか１つの間には制御協定があり、前記起動制御動作がオンにされた後、前記制御回路と前記特定のリモコンの間は前記制御協定に基づき対応して、前記遠隔操作の照明装置を駆動制御することを特徴とする。
【００２９】
好ましくは、前記制御協定は、前記制御回路が前記複数のリモコンのいずれか１つから発射される赤外線信号の別の発射モードを受信することによって、対応する制御信号を判断して出力し、前記別の発射モードは少なくとも前記赤外線信号が発射される回数及び／或いは発射される時間に対して、前記別の発射モードの設定を行うことを特徴とする。
【００３０】
好ましくは、さらに家庭用電源と前記制御回路の間に電気的に接続される切り替えスイッチを含み、前記遠隔操作の照明装置は前記切り替えスイッチのスイッチ転換状態に応じてリセット（Ｒｅｓｅｔ）されることを特徴とする。
【００３１】
好ましくは、ユーザーは前記特定のリモコンを使用することを通じて前記遠隔操作の照明装置をオン又はオフにし、前記発光源が提供する第一或いは第二照明パラメータを有する照明光線を制御し、前記遠隔操作の照明装置が提供する特定機能を制御することを特徴とする。
【考案の効果】
【００３２】
本考案の遠隔操作の照明装置によればどのリモコンでも制御可能であり、その他電子設備が誤制御されることを避ける効果が得られる。
【図面の簡単な説明】
【００３３】
【図１】本考案に係る遠隔操作の照明装置の好ましい実施形態を説明するモジュール概略図である。
【図２】図１に示す遠隔操作の照明装置の制御協定の好ましい概略図である。
【考案を実施するための形態】
【００３４】
以下に図面を参照して、本考案を実施するための形態について、詳細に説明する。なお、本考案は、以下に説明する実施形態に限定されるものではない。
【００３５】
図１は本考案に係る遠隔操作の照明装置の好ましい実施形態を説明するモジュール概略図である。遠隔操作の照明装置１は照明本体１１と切り替えスイッチ１２を含む。照明本体１１はさらに制御回路１１１、発光源１１２、赤外線受信素子１１３、人間検知素子１１４、光センサ素子１１５、スピーカー素子１１６、及び予備の電源装置１１７を含む。なお、発光源１１２、赤外線受信素子１１３、人間検知素子１１４、光センサ素子１１５、スピーカー素子１１６、及び予備の電源装置１１７は制御回路１１１に電気的に接続され、切り替えスイッチ１２は制御回路１１１と家庭用電源９の間に電気的に接続され、このようにして切り替えスイッチ１２がオン（ｔｕｒｎ  ｏｎ）にされるとき、家庭用電源９は電力を照明本体１１に提供する。
【００３６】
好ましくは、人間検知素子１１４は受動式の人間赤外線（ＰＩＲ）検知素子又はマイクロ波（Ｍｉｃｒｏｗａｖｅ）検知素子であり、予備の電源装置１１７は乾電池、蓄電池、リチウム電池、太陽エネルギー電池、又はユニバーサル・シリアル・バス（ＵＳＢ）インターフェースを通じて電源を供給する予備の電源装置のいずれか１つであり、光センサ素子１１５はフォトレジスタ（ｐｈｏｔｏｒｅｓｉｓｔａｎｃｅ）である。なお、上述の説明は一実施形態に過ぎず、本実用新案の応用範囲はこれに限定されない。これ以外に、人間検知素子１１４、光センサ素子１１５、スピーカー素子１１６、及び予備の電源装置１１７は本実施形態を限定する必要部材ではなく、これらの部材は照明本体１１上に設けられることに限定されるわけではない。
【００３７】
遠隔操作の照明装置１の赤外線受信素子１１３は赤外線信号を受信するために用いられ、受信したいずれか１つの赤外線信号を制御回路１１１に伝送し、制御回路１１１は広い周波数受信範囲を有し、複数のリモコンから発射される赤外線信号の周波数を含むことができる。
【００３８】
さらに、図１中にも複数のそれぞれ異なる電子設備を制御するリモコンが表示されているが、これは１つの実施形態に過ぎず、リモコンの数と種類はこれに限定されない。ここでは、本実施形態のこれらのリモコンはテレビのリモコン２、ステレオのリモコン３、及びエアコンのリモコン４を含み、テレビのリモコン２は第一赤外線発射素子２１、第一キー２２、及び第二キー２３を含み、第一キー２２が押されるとき、第一赤外線発射素子２１が出力する赤外線信号は第一周波数と第一コードを有し、第二キー２３が押されるとき、第一赤外線発射素子２１が出力する赤外線信号は第一周波数と第二コードを有する。
【００３９】
また、ステレオのリモコン３は第二赤外線発射素子３１、第三キー３２、及び第四キー３３を含み、第三キー３２が押されるとき、第二赤外線発射素子３１が出力する赤外線信号は第二周波数と第三コードを有し、第四キー３３が押されるとき、第二赤外線発射素子３１が出力する赤外線信号は第二周波数と第四コードを有する。
【００４０】
また、エアコンのリモコン４は第三赤外線発射素子４１、第五キー４２、及び第六キー４３を含み、第五キー４２が押されるとき、第三赤外線発射素子４１が出力する赤外線信号は第三周波数と第五コードを有し、第六キー４３が押されるとき、第三赤外線発射素子４１が出力する赤外線信号は第三周波数と第六コードを有する。
【００４１】
以下、本考案の遠隔操作の照明装置の第１実施形態について説明する。つまり、遠隔操作の照明装置１が複数のリモコンの中のいずれか１つによって遠隔操作されるとき、遠隔操作の照明装置１に隣接するその他電子設備を誤制御する状況は発生しない。例えば、図１に示すように、もし遠隔操作の照明装置１の赤外線受信素子１１３がテレビに隣接する場合、本実用新案はユーザーがテレビのリモコン２を利用して遠隔操作の照明装置１を制御するときにテレビを誤制御してしまう状況を避けることができる。また、もし遠隔操作の照明装置１の赤外線受信素子１１３がステレオに隣接する場合、本実用新案はユーザーがステレオのリモコン３を利用して遠隔操作の照明装置１を制御するときにステレオを誤制御してしまう状況を避けることができる。また、もし遠隔操作の照明装置１の赤外線受信素子１１３がエアコンに隣接する場合、本実用新案はユーザーがエアコンのリモコン４を利用して遠隔操作の照明装置１を制御するときにエアコンを誤制御してしまう状況を避けることができる。
【００４２】
（第１実施形態）
ユーザーは複数のリモコンの中の少なくとも１つ（遠隔操作の照明装置１の赤外線受信素子１１３に隣接する箇所に位置する電子設備のリモコンを含まないことが好ましい）を遠隔操作の照明装置１を制御する特定のリモコンとして設定する。詳しくは、これらのリモコンの中の少なくとも１つは直接赤外線受信素子１１３に対していずれか１つの赤外線信号を発射し、同期して制御回路１１１に予定の学習動作を行った後、遠隔操作の照明装置１を遠隔操作可能な特定のリモコンとなる。
【００４３】
そのうち、制御回路１１１が予定の学習動作を行う過程で、制御回路１１１は前記いずれか１つの赤外線信号の赤外線特性に応じて、これらのリモコンの中の少なくとも１つを特定のリモコンとして選定する。特に説明すべきは、予定の学習動作が行われる前、いかなる予告予定の学習動作も必要ない（いわゆる予告予定の学習動作については、前述の先行技術中の説明を参照されたい）。
【００４４】
さらに、予定の学習動作はこれらのリモコンの中の少なくとも１つが赤外線受信素子１１３に対して赤外線信号を発射する発射モードを含み、発射モードはメーカーやユーザーの実際の応用ニーズに基づき設定でき、メーカーやユーザーは赤外線信号の発射される回数及び／或いは発射される時間によって前記発射モードの設定を行うことができる。
【００４５】
この好ましい実施形態では、前記発射モードは赤外線信号の発射される回数に基づき設定され、リモコンが赤外線受信素子１１３に対して発射する赤外線信号の回数を特定後、制御回路１１１は予定の学習動作を完成する。
【００４６】
例えば、もしメーカーが前記特定回数を三回と設定した場合、ユーザーは手に持っているテレビのリモコン２を赤外線受信素子１１３に向け、連続して第一キー２２を三回押す、或いは、連続して第二キー２３を三回押す、或いは、いずれかのキーを合計三回押し（例えば、順番に第一キー２２、第二キー２３、及び第二キー２３を押す）、赤外線受信素子１１３が第一周波数の赤外線信号を連続して三回受信するようにさせるとき、制御回路１１１は受信した赤外線信号の周波数（第一周波数）を識別することにより、予定の学習動作を完成させ、この後ユーザーはテレビのリモコン２を利用して遠隔操作の照明装置１を制御することができる。
【００４７】
例えば、もしメーカーが前記特定回数を四回と設定した場合、ユーザーは手に持っているステレオのリモコン３を赤外線受信素子１１３に向け、連続して第三キー３２を四回押す、或いは、連続して第四キー３３を四回押す、或いは、いずれかのキーを合計四回押し（例えば、順番に第四キー３３、第三キー３２、第三キー３２、及び第四キー３３を押す）、赤外線受信素子１１３が第二周波数の赤外線信号を連続して四回受信するようにさせるとき、制御回路１１１は受信した赤外線信号の周波数（第二周波数）を識別することにより、予定の学習動作を完成させ、この後ユーザーはステレオのリモコン３を利用して遠隔操作の照明装置１を制御することができる。
【００４８】
例えば、もしメーカーが前記特定回数を三回と設定した場合、ユーザーは手に持っているエアコンのリモコン４を赤外線受信素子１１３に向け、連続して第五キー４２を三回押す、或いは、連続して第六キー４３を三回押す、或いは、いずれかのキーを合計三回押し（例えば、順番に第六キー４３、第六キー４３、及び第五キー４２を押す）、赤外線受信素子１１３が第三周波数の赤外線信号を連続して三回受信するようにさせるとき、制御回路１１１は受信した赤外線信号の周波数（第三周波数）を識別することにより、予定の学習動作を完成させ、この後ユーザーはエアコンのリモコン４を利用して遠隔操作の照明装置１を制御することができる。
【００４９】
もちろん、本技術領域の技術者は上記３つの例によって得られる啓示により、実際の応用ニーズに基づき、いかなる均等な変更設計を行うこともできる。
【００５０】
なお、前記発射モードはさらに同時に赤外線信号の発射される回数と発射される時間に基づき設定され、つまり、上記予定の学習動作はさらに限定され、前記特定回数の少なくとも一回で、リモコンは赤外線受信素子１１３に対して発射する赤外線信号を特定時間継続する必要がある。
【００５１】
もしメーカーが前記特定回数を一回であると設定し、前記特定時間を三秒と設定する場合、ユーザーは手に持っているテレビのリモコン２を赤外線受信素子１１３に向け、第一キー２２を継続して三秒押す、或いは、第二キー２３を継続して三秒押し、赤外線受信素子１１３が第一周波数を有する赤外線信号を継続して三秒受信するようにさせるとき、制御回路１１１は受信した赤外線信号の周波数（第一周波数）を識別することにより、予定の学習動作を完成させ、この後ユーザーはテレビのリモコン２を利用して遠隔操作の照明装置１を制御することができる。
【００５２】
もしメーカーが前記特定回数を二回であると設定し、前記特定時間を五秒と設定する場合、ユーザーは手に持っているステレオのリモコン３を赤外線受信素子１１３に向け、第三キー３２を継続して五秒押した後放し、更に第四キー３３を押す、或いは、第四キー３３を継続して五秒押した後放し、更に第三キー３２を押し、赤外線受信素子１１３が第二周波数を有する赤外線信号を二回受信するようにさせ、第一回継続が五秒のとき、制御回路１１１は受信した赤外線信号の周波数（第二周波数）を識別することにより、予定の学習動作を完成させ、この後ユーザーはステレオのリモコン３を利用して遠隔操作の照明装置１を制御することができる。
【００５３】
もちろん、本技術領域の技術者は上記２つの例によって得られる啓示により、実際の応用ニーズに基づき、いかなる均等な変更設計を行うこともできる。
【００５４】
なお、上述の予定の学習動作はさらに限定することができ、リモコンが毎回赤外線受信素子１１３に対して発射する赤外線信号はどれも同じコードを有する必要がある。つまり、ユーザーは同一のリモコンを押し、同一のキーを特定回数（さらに、そのうちの少なくとも一回は特定時間継続して）押すことによって制御回路１１１に予定の学習動作を完成させることができる。
【００５５】
次に、本考案の遠隔操作の照明装置の第２実施形態について説明する。
【００５６】
（第２実施形態）
複数のリモコンの中のいずれか１つ（遠隔操作の照明装置１の赤外線受信素子１１３に隣接する箇所に位置する電子設備のリモコンを含まないことが好ましい）を遠隔操作の照明装置１に対していずれかの制御動作を行う前、まず赤外線受信素子１１３に対していずれか１つの赤外線受信信号を発射して起動制御動作を行うだけで、制御回路１１１が制御モードに入るようにさせることができ、さらに遠隔操作の照明装置１に対して制御を行う。第２実施形態と第１実施形態の主な違いはここにあり、制御回路１１１は複数のリモコンの中のいずれか１つを特定のリモコンとし、予定の学習動作を行う必要がない。
【００５７】
更に、起動制御動作はこれらのリモコンの中のいずれか１つが赤外線受信素子１１３に対して赤外線信号を発射する発射モードを含み、発射モードはメーカーやユーザーの実際の応用ニーズに基づいて設定でき、メーカーやユーザーは赤外線信号の発射される回数及び／或いは発射される時間によって、前記発射モードの設定を行う。
【００５８】
この好ましい実施形態では、前記発射モードは赤外線信号の発射される回数に基づき設定され、いずれか１つのリモコンが赤外線受信素子１１３に対して赤外線信号を特定回数発射した後、制御回路１１１は制御モードに入る。
【００５９】
例えば、もしメーカーが前記特定回数を三回と設定した場合、ユーザーは手に持っているテレビのリモコン２を赤外線受信素子１１３に向け、連続して第一キー２２を三回押す、或いは、連続して第二キー２３を三回押す、或いは、いずれかのキーを合計三回押し（例えば、順番に第一キー２２、第二キー２３、及び第二キー２３を押す）、赤外線受信素子１１３が第一周波数の赤外線信号を連続して三回受信するようにさせるとき、制御回路１１１は受信した赤外線信号の周波数（第一周波数）を識別することにより、制御モードに入り、ユーザーは続いてテレビのリモコン２を利用して遠隔操作の照明装置１を制御することができる。
【００６０】
例えば、もしメーカーが前記特定回数を四回と設定した場合、ユーザーは手に持っているステレオのリモコン３を赤外線受信素子１１３に向け、連続して第三キー３２を四回押す、或いは、連続して第四キー３３を四回押す、或いは、いずれかのキーを合計四回押し（例えば、順番に第四キー３３、第三キー３２、第三キー３２、及び第四キー３３を押す）、赤外線受信素子１１３が第二周波数の赤外線信号を連続して四回受信するようにさせるとき、制御回路１１１は受信した赤外線信号の周波数（第二周波数）を識別することにより、制御モードに入り、ユーザーは続いてステレオのリモコン３を利用して遠隔操作の照明装置１を制御することができる。
【００６１】
例えば、もしメーカーが前記特定回数を三回と設定した場合、ユーザーは手に持っているエアコンのリモコン４を赤外線受信素子１１３に向け、連続して第五キー４２を三回押す、或いは、連続して第六キー４３を三回押す、或いは、いずれかのキーを合計三回押し（例えば、順番に第六キー４３、第六キー４３、及び第五キー４２を押す）、赤外線受信素子１１３が第三周波数の赤外線信号を連続して三回受信するようにさせるとき、制御回路１１１は受信した赤外線信号の周波数（第三周波数）を識別することにより、制御モードに入り、ユーザーは続いてエアコンのリモコン４を利用して遠隔操作の照明装置１を制御することができる。
【００６２】
もちろん、本技術領域の技術者は上記３つの例によって得られる啓示により、実際の応用ニーズに基づき、いかなる均等な変更設計を行うこともできる。
【００６３】
なお、前記発射モードはさらに同時に赤外線信号の発射される回数と発射される時間に基づき設定され、つまり、上述起動制御動作はさらに限定され、前記特定回数中の少なくとも一回で、リモコンは赤外線受信素子１１３に対して発射する赤外線信号を特定時間継続する必要がある。
【００６４】
例えば、もしメーカーが前記特定回数を一回であると設定し、前記特定時間を三秒と設定する場合、ユーザーは手に持っているテレビのリモコン２を赤外線受信素子１１３に向け、第一キー２２を継続して三秒押す、或いは、第二キー２３を継続して三秒押し、赤外線受信素子１１３が第一周波数を有する赤外線信号を継続して三秒受信するようにさせるとき、制御回路１１１は受信した赤外線信号の周波数（第一周波数）を識別することにより、制御モードに入り、ユーザーは続いてテレビのリモコン２を利用して遠隔操作の照明装置１を制御することができる。
【００６５】
もしメーカーが前記特定回数を二回であると設定し、前記特定時間を五秒と設定する場合、ユーザーは手に持っているステレオのリモコン３を赤外線受信素子１１３に向け、第三キー３２を継続して五秒押した後放し、更に第四キー３３を押す、或いは、第四キー３３を継続して五秒押した後放し、更に第三キー３２を押し、赤外線受信素子１１３が第二周波数を有する赤外線信号を二回受信するようにさせ、第一回継続が五秒のとき、制御回路１１１は受信した赤外線信号の周波数（第二周波数）を識別することにより、制御モードに入り、ユーザーは続いてステレオのリモコン３を利用して遠隔操作の照明装置１を制御することができる。
【００６６】
もちろん、本技術領域の技術者は上記２つの例によって得られる啓示により、実際の応用ニーズに基づき、いかなる均等な変更設計を行うこともできる。
【００６７】
なお、上述の起動制御動作はさらに限定することができ、リモコンが毎回赤外線受信素子１１３に対して発射する赤外線信号はどれも同じコードを有する必要がある。つまり、ユーザーは同一のリモコンを押し、同一のキーを特定回数（さらに、そのうちの少なくとも一回は特定時間継続して）押すことによって制御回路１１１が制御モードに入るようにさせる。
【００６８】
上述した通りに、どのリモコンであっても、特定のリモコンになった後、遠隔操作の照明装置１に対していかなる制御を行うことができ、或いは、いずれのリモコンであっても遠隔操作の照明装置１の赤外線受信素子１１３に対して起動制御動作を行った後、続いて遠隔操作の照明装置１に対していかなる制御を行うことができる。
【００６９】
ちなみに、制御回路１１１といずれか１つのリモコンの間には制御協定があり、いずれか１つのリモコンが特定のリモコンとなった後、或いは、いずれか１つのリモコンが遠隔操作の照明装置１の赤外線受信素子１１３に対して起動制御動作を行った後、制御回路１１１と前記いずれか１つのリモコンの間は制御協定に基づき対応して、遠隔操作の照明装置１を駆動制御する。
【００７０】
さらに、前記制御協定は制御回路１１１が前記いずれか１つのリモコンから発射される赤外線信号の別の発射モードを受信することによって、対応する制御信号を判断して出力することを含み、前記別の発射モードはメーカーやユーザーの実際の応用ニーズに基づき設定され、メーカーやユーザーは赤外線信号の発射される回数及び／或いは発射される時間によって前記別の発射モードの設定を行う。補足説明すべきは、前記別の発射モードの設定方法は前述の発射モードの設定方法と類似しており、本技術領域の一般の技術者は前述の説明によって得られる啓示によって、実際の応用ニーズに基づき前記別の発射モードに対する設定を行うことができる。
【００７１】
図２は図１に示す遠隔操作の照明装置の制御協定の好ましい概略図である。図２中では制御回路１１１が発生出力する制御信号が信号Ｓ１であるとき、遠隔操作の照明装置１はオンにされ、このとき発光源１１２は照明光線を出力し、制御回路１１１が発生出力する制御信号がＳ２であるとき、遠隔操作の照明装置はオフにされ、このとき、発光源１１２は照明光線の出力を停止する。
【００７２】
また、制御回路１１１が発生出力する制御信号が信号Ｓ３であるとき、発光源１１２は第一照明パラメータを有する照明光線を駆動出力し、制御回路１１１が発生出力する制御信号が信号Ｓ４であるとき、発光源１１２は第二照明パラメータを有する照明光線を出力する。ここでは、第一照明パラメータと第二照明パラメータはそれぞれ第一照明輝度と第二照明輝度であり、或いは、第一照明パラメータと第二照明パラメータはそれぞれ第一照明色温度と第二照明色温度である。しかし、以上の第一照明パラメータと第二照明パラメータに対する説明は一実施形態に過ぎず、これにより第一照明パラメータと第二照明パラメータの応用範囲は限定されない。
【００７３】
また、制御回路１１１が発生出力する制御信号が信号Ｓ５であるとき、遠隔操作の照明装置１は人間検知スイッチモードに入り、詳しくは、人間検知素子１１４は検知範囲内に人間が入ったかどうかを検知するために用いられ、遠隔操作の照明装置１が人間検知モードに入ると共に人間検知素子１１４が人間が検知範囲内に入ったことを検知するとき、人間検知素子１１４は人間検知信号を制御回路１１１へ発生出力し、発光源１１２を駆動させ、照明光線を提供する。制御回路１１１が発生出力する制御信号が信号Ｓ６であるとき、遠隔操作の照明装置１は人間検知スイッチモードから離れる。
【００７４】
また、制御回路１１１が発生出力する制御信号が信号Ｓ７であるとき、遠隔操作の照明装置１は防犯モードに入り、詳しくは、遠隔操作の照明装置１は防犯モードに入ると共に人間検知素子１１４が、人間が検知範囲内に入ったことを検知したとき、人間検知素子１１４は人間検知信号を制御回路１１１に発生出力し、発光源１１２を駆動させ、照明光線を継続して出力する、或いは、照明光線を断続的に出力し、防犯警告を提供し、或いは、スピーカー素子１１６を駆動させ、継続的な音や断続的な音を発生出力し、防犯警告を提示する。また、制御回路１１１が発生出力する制御信号がＳ８であるとき、遠隔操作の照明装置１は防犯モードから離れる。
【００７５】
制御回路１１１が発生出力する制御信号がＳ９であるとき、遠隔操作の照明装置１は停電照明モードに入り、詳しくは、遠隔操作の照明装置１は停電照明モードに入り、家庭用電源９が電力を遠隔操作の照明装置１に提供できないとき、制御回路１１１は予備の電源装置１１７を駆動させ、予備電力を提供し、発光源１１２が緊急照明を提供できるようにさせる。制御回路１１１が発生出力する制御信号がＳ１０のとき、遠隔操作の照明装置１は停電照明モードから離れる。
【００７６】
制御回路１１１が発生出力する制御信号がＳ１１であるとき、遠隔操作の照明装置１は自動光調整モードに入り、詳しくは、遠隔操作の照明装置１が自動光調整モードに入るとき、光センサ素子１１５は遠隔操作の照明装置１の使用環境輝度を検知し、輝度感知信号を制御回路１１１に発生出力し、発光源１１２を駆動させ、対応する照明光線を提供する。例を挙げて説明すると、光センサ素子１１５が検知して得られる使用環境輝度が暗すぎる場合、制御回路１１１は発光源１１２は比較的明るい照明光線を提供し、反対に光センサ素子１１５が検知して得られる使用環境輝度が明るすぎる場合、制御回路１１１は発光源１１２を駆動させ、比較的暗い照明光線を提供する。制御回路１１１が発生出力する制御信号が信号Ｓ１２であるとき、遠隔操作の照明装置１は自動光調整モードから離れる。
【００７７】
また、制御回路１１１が発生出力する制御信号がＳ１３であるとき、遠隔操作の照明装置１はスリープモードに入り、詳しくは、遠隔操作の照明装置１がスリープモードに入るとき、制御回路１１１は発光源１１２を駆動させ、出力する照明光線を一定時間の長さ中で徐々に暗くさせ、最終的には完全にオフにさせる。制御回路１１１が発生出力する制御信号がＳ１４であるとき、遠隔操作の照明装置１はスリープモードから離れる。
【００７８】
制御回路１１１が発生出力する制御信号がＳ１５であるとき、遠隔操作の照明装置１は休日モードに入り、詳しくは、遠隔操作の照明装置１は休日モードに入るとき、制御回路１１１は特定時間、或いは、不特定時間発光源１１２が継続して照明光線を一定時間或いは、断続的に照明光線を一定時間出力し、この偽装行為によって長時間外出のユーザーが泥棒にあう確率を下げることができる。制御回路１１１が発生出力する制御信号は信号Ｓ１６であるとき、遠隔操作の照明装置１は休日モードから離れる。
【００７９】
制御回路１１１が発生出力する制御信号がＳ１７であるとき、遠隔操作の照明装置１は緊急モードに入り、詳しくは、遠隔操作の照明装置１が緊急モードに入るとき、制御回路１１１は発光源１１２を駆動させ、継続的に照明光線を出力する、或いは、断続的に照明光線を出力し、或いは、スピーカー素子１１６は継続的な音、或いは、断続的な音を発生出力し、或いは、（遠隔操作の照明装置１やその他装置を駆動させ）その他人の注意を引き付ける方法を提供し、これによりユーザーが危険や緊急状況に遭遇したとき、速急な助けを得られるようにする。
【００８０】
もちろん、メーカーやユーザーは実際の応用ニーズに基づき、制御回路１１１が発生出力する制御信号が信号Ｓ１８であるとき、遠隔操作の照明装置１が特定の機能を提供するようにさせ、例えば、音声制御モード、音楽と放送のいずれか１つを放送するモード、グループ制御モード、照明バランスモード、節電モード、前記遠隔操作の照明装置のリセットをオンにするモード、或いは、通信装置をオンにするモードなどに入る。
【００８１】
本考案の実施形態に係る遠隔操作の照明装置１は切り替えスイッチ１２のスイッチ切り替え状態に応じてリセット（ｒｅｓｅｔ）し、例を挙げて説明すれば、ユーザーが切り替えスイッチ１２をオンの状態からオフの状態に切り替えたとき、遠隔操作の照明装置１はリセットされ、以前に置かれていた作業モードから離れる。
【００８２】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求の範囲に含まれるものとする。
【符号の説明】
【００８３】
１  遠隔操作の照明装置、
２  テレビのリモコン、
３  ステレオのリモコン、
４  エアコンのリモコン、
９  家庭用電源、
１１  照明本体、
１２  切り替えスイッチ、
２１  第一赤外線発射素子、
２２  第一キー、
２３  第二キー、
３１  第二赤外線発射素子、
３２  第三キー、
３３  第四キー、
４１  第三赤外線発射素子、
４２  第五キー、
４３  第六キー、
１１１  制御回路、
１１２  発光源、
１１３  赤外線受信素子、
１１４  人間検知素子、
１１５  光センサ素子、
１１６  スピーカー素子、
１１７  予備の電源装置。
【図１】
0003184556.tif 000003
【図２】
0003184556.tif 000004